(57)【要約】      （修正有）【課題】筆記具のインキ通路内やペン先の洗浄を行う際に、インキによる汚れの度合いが大きい場合であっても、洗浄液の残量を気にすることなく、確実にかつ短時間で洗浄することが可能な筆記具洗浄方法および筆記具洗浄装置を提供する。【解決手段】筆記具を連結する連結部２と、循環手段と、洗浄液循環路および貯留槽６とで構成された筆記具洗浄装置によって洗浄する。循環手段により洗浄液循環路を通じて筆記具内に洗浄液が循環するため、インキによる汚れの度合いが大きい場合であっても、確実にかつ短時間で洗浄することができる。【選択図】図１
2019034426.tif 000002
【特許請求の範囲】
【請求項１】
筆記具を洗浄液循環路に連結して、循環手段により前記洗浄液循環路を通じて循環させた洗浄液で前記筆記具内を洗浄する筆記具洗浄方法。
【請求項２】
筆記具を連結する連結部と、循環手段と、洗浄液循環路および貯留槽とで構成された筆記具洗浄装置。
【請求項３】
前記連結部と前記貯留槽との間に、洗浄槽を設けた請求項２に記載の筆記具洗浄装置。
【請求項４】
前記洗浄槽に排出孔を設けると共に、前記循環手段と前記貯留槽との間に、空気流入弁を設けた請求項２または３に記載の筆記具洗浄装置。
【発明の詳細な説明】
【技術分野】
【０００１】
本発明は、筆記具の内部を洗浄する方法およびその装置に関する。
【背景技術】
【０００２】
従来より、万年筆や製図用ペンなどの、インキカートリッジやコンバータを接続して使用する筆記具はよく知られている。このような万年筆や製図用ペンは、筆記によりインキカートリッジ内部やコンバータ内部のインキが無くなった場合には、新たにインキが充填されたインキカートリッジに交換したり、ペン先からコンバータ内にインキを吸入することにより、筆記具本体を廃棄せずに使用し続けることができる。
【０００３】
前記のような筆記具では、長期間使用せずに放置しておくと、インキ中の水分が徐々に蒸発し、筆記具のインキ通路内やペン先に、染料や顔料などのインキの成分が固まり詰まってしまう場合がある。
したがって、長期間使用しなくなる前、あるいは長期間放置した後に再び使用する際には、筆記具のインキ通路内やペン先を水やぬるま湯、洗浄液などの液体で洗浄することが行われている。
また、例えば黒いインキのインキカートリッジを接続して使用していた筆記具に、黒いインキに替えてあらたに赤いインキのインキカートリッジを接続して使用する場合には、黒いインキと赤いインキとが筆記具の内部で混ざって筆跡が濁ることを防止するため、あるいは種類の異なるインキが混ざることによる凝固を防止するために、筆記具のインキ通路内やペン先に残った黒いインキを水やぬるま湯、洗浄液など洗浄用の液体で洗浄することも行われている。
なお、従来の前記筆記具の洗浄において、インキによる汚れの度合いが大きい場合には、インキカートリッジやコンバータを外した状態の筆記具を水やぬるま湯、洗浄液などに１〜２時間浸け置きすることが行われており、筆記具を長期間放置した後に再び使用する際には、筆記具のインキ通路内にインキが固化しているために、インキカートリッジやコンバータを外した状態の筆記具を水やぬるま湯、洗浄液などに一晩浸け置きすることが行われている。
また、洗浄が終了した後には、筆記具のインキ通路内に水やぬるま湯、洗浄液などの液体が付着しているため、その液体によりインキが希釈されて筆記具の筆跡が薄くなることを防ぐために、インキカートリッジやコンバータを接続して使用する前に、筆記具のインキ通路内を自然乾燥させたり、ティッシュや布切れにペン先をつけて液体を排出させる必要があった。
【０００４】
なお、特許文献１（実公平５−３８５号公報）に示されているように、洗浄用液体の圧縮封入されたボンベの抽出口に、筆記具の液供給口に結合される連結口を備えた操作兼用キャップを被冠連通させた液体使用筆記具の掃除器も存在している。
しかしながら、当該掃除器では、ボンベ内に圧縮封入された洗浄用液体の量に限りがあるために、インキによる汚れの度合いが大きい場合や、筆記具のインキ通路内にインキが固化している場合には、汚れを充分に落とす前や固化したインキを除去する前に洗浄用液体が尽きてしまうおそれがあることから、ボンベ内の洗浄用液体やガスの残量を気にする必要があった。
また、前述の従来の洗浄と同様に、洗浄が終了した後には、筆記具のインキ通路内に残っている洗浄用の液体の自然乾燥、あるいは排出が必要であった。
【先行技術文献】
【特許文献】
【０００５】
【特許文献１】実公平５−３８５号公報
【発明の概要】
【発明が解決しようとする課題】
【０００６】
本発明は、このような従来の問題点を考慮してなされたものであり、インキによる汚れの度合いが大きい場合や、インキ通路内にインキが固化している場合であっても、洗浄液の残量を気にすることなく、筆記具のインキ通路内やペン先を確実にかつ短時間で洗浄することが可能な筆記具洗浄方法および筆記具洗浄装置を得ることを課題とする。
【課題を解決するための手段】
【０００７】
本発明は、
「１．筆記具を洗浄液循環路に連結して、循環手段により前記洗浄液循環路を通じて循環させた洗浄液で前記筆記具内を洗浄する筆記具洗浄方法。
２．筆記具を連結する連結部と、循環手段と、洗浄液循環路および貯留槽とで構成された筆記具洗浄装置。
３．前記連結部と前記貯留槽との間に、洗浄槽を設けたことを特徴とする前記２項に記載の筆記具洗浄装置。
４．前記洗浄槽に排出孔を設けると共に、前記循環手段と前記貯留槽との間に、空気流入弁を設けたことを特徴とする前記２項または３項に記載の筆記具洗浄装置。」である。
【０００８】
本発明によれば、筆記具を洗浄液循環路に連結して、循環手段により洗浄液循環路を通じて循環させた洗浄液で筆記具内を洗浄することで、インキによる汚れの度合いが大きい場合や、インキ通路内にインキが固化している場合であっても、洗浄液の残量を気にすることなく、筆記具のインキ通路内を確実にかつ短時間で洗浄することが可能となり、さらに連結部と前記貯留槽との間に洗浄槽を設けることで、ペン先の内外面を確実にかつ短時間で洗浄することが可能となり、またさらに洗浄槽に排出孔を設けると共に循環手段と貯留槽との間に空気流入弁を設けることで、洗浄が終了した後に、筆記具のインキ通路内を確実にかつ短時間で乾燥することが可能となる。
【０００９】
本発明における連結部は、略管状体で構成され、一端を循環手段や循環手段と連通した洗浄液循環路に液密状態で連通するように形成し、もう一端を筆記具のインキ通路に液密状態で連通するように形成することで、洗浄液を筆記具のインキ通路内に効率よく送り込むことができる。
したがって、連結部の下端部の内面形状を筆記具のインキカートリッジ接続部や筆記具のコンバータ接続部の外面形状と一致するように形成したり、連結部の下端部の内面形状を筆記具の首軸の後端部の外面形状と一致するように形成したり、連結部の下端部の外面にゴム製のＯリングなどを設けて筆記具の首軸の後端部の内面に密着させたり、連結部自体を変形しやすい柔らかい材質で形成することが好ましい。また、連結部と循環手段とを一体に形成したり、連結部と洗浄液循環路とを一体に形成してもよい。
また、連結部の材質は、水やインキや洗浄液などの液体に対して耐水性があればよく、例えば、シリコーン樹脂、ポリウレタン樹脂、ポリ塩化ビニル樹脂、ポリエチレン樹脂、ポリエチレンテレフタレート樹脂、ポリプロピレン樹脂、ポリスチレン樹脂などの樹脂で形成することができる。また、透明なものを選択することで、連結部の内部を流れる洗浄液を視認することが可能となる。
連結部を金属で形成する場合には、洗浄液やインキに対して耐食性が強いステンレスなどで形成することが好ましい。また、連結部は、樹脂と金属とを組み合わせて形成することもできる。
【００１０】
本発明における循環手段は、容積式ポンプや非容積式ポンプを用いることができ、洗浄液中への異物混入や洗浄液漏れなどの問題が発生しにくいダイヤフラムポンプが好ましく用いられる。
また、大きい能力のポンプを使用することで、確実にかつ短時間での洗浄が可能となる。
能力的には、吐出量が２２ｍＬ／ｓｅｃ以上、吐出圧が０．３ＭＰａ以上のポンプが好ましく用いられるが、装置全体のサイズを考慮しながら選定すればよい。
また、ポンプを駆動する電源は、家庭用電源やポータブルバッテリーなどを適宜選択することができ、家庭用電源を使用する場合には、使用時間が制限されなくなり、ポータブルバッテリーを使用する場合には、使用場所の制限がなくなる。
【００１１】
本発明における洗浄液循環路は、チューブなどの管状体で構成される。
また、洗浄液循環路は、連結部と循環手段との間や循環手段と貯留槽との間に設けることができる。また、連結部と管状体との間や管状体と循環手段との間を液密状態で連通するように形成することで、洗浄液を効率よく循環することができる。また、洗浄液循環路と連結部とを一体に形成してもよい。
また、洗浄液循環路の材質は、水やインキや洗浄液などの液体に対して耐水性があればよく、例えば、シリコーン樹脂、ポリウレタン樹脂、ポリ塩化ビニル樹脂、ポリエチレン樹脂、ポリエチレンテレフタレート樹脂、ポリプロピレン樹脂、ポリスチレン樹脂などの樹脂で形成することができる。また、透明なものを選択することで、洗浄液循環路の内部を流れる洗浄液を視認することが可能となる。
洗浄液循環路を金属で形成する場合には、洗浄液やインキに対して耐食性が強いステンレスなどで形成することが好ましい。また、洗浄液循環路は、樹脂と金属とを組み合わせて形成することもできる。
また、洗浄液循環路の先端部や終端部、中間部などにフィルターを設けてもよい。フィルターを設けることにより、筆記具のインキ通路内からインキの成分が固まった固形物が洗浄により剥離して洗浄液中に流出した場合や、ほこりやゴミなどが洗浄液中に混入した場合においても、当該固形物やほこり、ゴミなどを洗浄液循環路を流れる洗浄液中や空気中から取り除くことができ、固形物やほこり、ゴミなどが筆記具のインキ通路内に入り込むことを防止できる。
【００１２】
本発明における貯留槽は、内部に洗浄液を収容することができる容器である。
また、貯留槽は、水やインキや洗浄液などの液体に対して耐水性がある樹脂、金属、ガラスなどで形成することができる。例えば、ＡＢＳ樹脂、ＡＳ樹脂、ポリカーボネート樹脂、ポリエチレン樹脂、ポリエチレンテレフタレート樹脂、アクリル樹脂、ポリアセタール樹脂、ポリプロピレン樹脂、ポリスチレン樹脂などの樹脂で形成することができ、また、透明なものを選択することで、貯留槽の内部を流れる洗浄液を視認することが可能となる。
貯留槽を金属で形成する場合には、洗浄液やインキに対して耐食性が強いステンレスなどで形成することが好ましい。また、貯留槽は、樹脂と金属とを組み合わせて形成することもできる。
また、貯留槽内にヒーターを設けてもよい。ヒーターを設けることにより、洗浄液を加熱・保温して、洗浄液の洗浄力を向上することができる。
また、貯留槽の上部に、樹脂や金属、ガラスなどで形成したカバーを設けてもよい。当該カバーを設けることにより、ほこりやゴミなどが洗浄液中に混入することを防止することができる。
【００１３】
本発明における洗浄液は、被洗浄物である筆記具の材質やインキの成分などを考慮して、水、有機溶剤、界面活性剤などを適宜選定して用いることができる。
また、洗浄液が少なすぎる場合には、筆記具の洗浄時に筆記具のインキ通路内やペン先から洗浄液中に溶出したインキが再び筆記具に付着するおそれがあるため、洗浄液の量は７０ｍｌ以上が好ましい。
【００１４】
また、前記連結部と前記貯留槽との間に、洗浄槽を設けることもできる。
洗浄槽を設ける場合には、ペン先を下方に向けた筆記具を洗浄槽内部に垂下できるように形成することで、ポンプの作動中は筆記具のインキ通路内から洗浄槽に流下した洗浄液が洗浄槽に溜まって洗浄槽の上部からオーバーフローし、洗浄槽の下方から上方に流れる洗浄液によりペン先の表面を洗浄する効果を得ることができる。
また、洗浄槽は、水やインキや洗浄液などの液体に対して耐水性がある樹脂、金属、ガラスなどで形成することができる。例えば、ＡＢＳ樹脂、ＡＳ樹脂、ポリカーボネート樹脂、ポリエチレン樹脂、ポリエチレンテレフタレート樹脂、アクリル樹脂、ポリアセタール樹脂、ポリプロピレン樹脂、ポリスチレン樹脂などの樹脂で形成することができ、また、透明なものを選択することで、洗浄槽の内部を流れる洗浄液を視認することが可能となる。
洗浄槽を金属で形成する場合には、洗浄液やインキに対して耐食性が強いステンレスなどで形成することが好ましい。また、洗浄槽は、樹脂と金属とを組み合わせて形成することもできる。
また、洗浄槽の下方に排出孔を設けてもよい。排出口はどのような形状でもよいが、排出孔からの洗浄液排出量よりもポンプからの洗浄液吐出量を多く設定することにより、ポンプの作動中は筆記具のインキ通路内から洗浄槽に流下した洗浄液が排出孔から流下し切れずに洗浄槽に溜まって洗浄槽の上部からオーバーフローする際に、洗浄槽の下方から上方に流れる洗浄液によりペン先の表面を洗浄する効果を得ることができる。また、ポンプの停止後は、洗浄槽中の洗浄液が排出孔から貯留槽に流下して筆記具が空気に触れるため、インキ通路内やペン先を乾燥する効果を得ることができる。
また、洗浄槽内に超音波振動子を設けてもよい。当該超音波振動子は洗浄槽内の洗浄液にキャビテーションを発生させ、筆記具のインキ通路内やペン先に付着した汚れの剥離を援助する。
【００１５】
また、前記循環手段と前記貯留槽との間に、空気流入弁を設けることもできる。
空気流入弁を設ける場合には、洗浄液流入口と流出口と空気流入口とを有する空気流入弁を用いることができ、手動式や電動式などの操作方式を適宜採用することができる。
洗浄液循環路の途中に空気流入弁を洗浄液流入口と流出口とが洗浄液循環路に繋がるように設け、空気流入弁を「開」状態にしてポンプを作動させることにより、洗浄液循環路に洗浄液に替えて空気を取り入れて、筆記具のインキ通路内に空気を吹き込むことで、筆記具のインキ通路内やペン先に残った洗浄液を除去し、筆記具のインキ通路内やペン先を短時間で乾燥することが可能となる。
また、前記空気流入弁の材質は、水やインキや洗浄液などの液体に対して耐水性があればよく、例えば、ポリアセタール樹脂などの樹脂や金属で形成することができる。
空気流入弁を金属で形成する場合には、洗浄液やインキに対して耐食性が強いステンレスなどで形成することが好ましい。また、連結部は、樹脂と金属とを組み合わせて形成することもできる。
【００１６】
また、前記貯留槽の上方や前記洗浄槽の上方などにカバーを設けてもよい。カバーを設けることにより、ほこりやゴミなどが洗浄液中に混入することを防止できる。
【発明の効果】
【００１７】
本発明によれば、インキによる汚れの度合いが大きい場合や、インキ通路内にインキが固化している場合であっても、洗浄液が循環することから、洗浄液の残量を気にすることなく、筆記具のインキ通路内やペン先を確実にかつ短時間で洗浄することが可能な筆記具洗浄方法および筆記具洗浄装置を得ることができる。
【図面の簡単な説明】
【００１８】
【図１】本発明の第１の実施の形態の筆記具洗浄装置の概略縦断面図である。
【図２】図１の筆記具洗浄装置に、万年筆を連結した状態を示す概略縦断面図である。
【図３】図１の筆記具洗浄装置で、万年筆を洗浄している状態を示す概略要部縦断面図である。
【図４】図１の筆記具洗浄装置で、万年筆を乾燥している状態を示す概略縦断面図である。
【図５】本発明の第２の実施の形態の筆記具洗浄装置に、万年筆を連結した状態を示す概略縦断面図である。
【発明を実施するための形態】
【００１９】
以下に、図面を参照して本発明の実施の形態の筆記具洗浄方法と筆記具洗浄装置を詳細に説明する。
【００２０】
図１は、本発明の第１の実施の形態による筆記具洗浄装置の概略縦断面図であり、図２は、図１の筆記具洗浄装置に万年筆を連結した状態を示す概略縦断面図であり、図３は、図１の筆記具洗浄装置で万年筆を洗浄している状態を示す概略要部縦断面図であり、図４は、図１の筆記具洗浄装置で万年筆を乾燥している状態を示す概略縦断面図である。
【００２１】
本実施の形態の筆記具洗浄装置１は、図１に示すように、底面と壁面とで構成した貯留槽６の内部に、同じく底面と壁面とで構成した洗浄槽８が収容され、貯留槽６の上方には貯留槽６の上部ならびに洗浄槽８の上部を覆うようにカバー１０が設けられている。なお、貯留槽６および洗浄槽８およびカバー１０は、ポリスチレン樹脂で形成されている。
貯留槽６には洗浄液７が収容され、前記洗浄槽８の底面は、洗浄液７の液面よりも上方に設けられており、洗浄槽８の壁面の底面近傍には、排出孔８１が貫設されている。
カバー１０の上方には、ダイヤフラムポンプ（以下、ポンプ４という）が設けられ、ポンプ４の吐出口４１には、前記カバー１０を貫通すると共に下端部が前記洗浄槽８の中央部上方に垂下される第一配管３が挿着されている。なお、第一配管３はシリコーン樹脂で形成されたチューブである。
第一配管３の下端部には、連結部２が挿着されており、連結部２の下端部は、万年筆の首軸１００が着脱自在に挿着できるように形成されている（図２参照）。なお、連結部２はポリエチレン樹脂で形成されている。
ポンプ４の吸入口４２には、前記カバー１０を貫通すると共に下端部が前記洗浄液７に浸漬される第二配管５が挿着されており、第二配管５の途中には、洗浄液流入口９１と流出口９２と空気流入口９３とを有する空気流入弁９を、洗浄液流入口９１と流出口９２とが第二配管５に繋がると共に空気流入口９３がカバー１０の外側に位置するように設けてある。この空気流入口９３をカバー１０の内側に接続すれば、筆記具洗浄装置１内を気密化することができ、外部からのほこりやゴミなどの侵入を防止できる。なお、第二配管５はシリコーン樹脂で形成されたチューブである。
【００２２】
次に、図２、図３を用いて、万年筆のインキ溝、空気溝ならびにペン先を洗浄する状態について説明を行う。
図２及び図３は、万年筆から軸（図示せず）ならびにインキカートリッジ（図示せず）を外して万年筆の前方部１００の状態とし、ペン先１０２を下方に向け、前記連結部２の下端部に首軸１０１を挿着して前記洗浄槽８の内部に垂下し、空気流入口９３から第二配管５に空気が入らないように空気流入弁９を「閉」にした状態である。
この状態でポンプ４を作動させると、洗浄液７が貯留槽６から、第二配管５、洗浄液流入口９１、流出口９２、第二配管５、吸入口４２、ポンプ４、吐出口４１、第一配管３、連結部２の順に循環し、洗浄液がペン芯１０３の内部に送り込まれてインキ溝１０３ａおよび空気溝１０３ｂを洗浄する。
ペン芯１０３のインキ溝１０３ａおよび空気溝１０３ｂを洗浄した洗浄液７は洗浄槽８に流下し、排出孔８１から貯留槽６に流下する。
排出孔８１からの洗浄液排出量よりもポンプ４からの洗浄液吐出量を多く設定することにより、洗浄液７は洗浄槽８の内部に溜まってペン先１０２の表面を洗浄し、洗浄槽８の上部からオーバーフローして貯留槽６に流下する。
ポンプ４の作動中は前記の洗浄液循環が継続的に行われるため、万年筆のインキ溝１０３ａ、空気溝１０３ｂ、ペン先１０２を確実にかつ短時間で洗浄することができた。
【００２３】
次に、図４を用いて、万年筆のインキ溝１０３ａ、空気溝１０３ｂならびにペン先１０２を乾燥する状態について説明を行う。
前記の万年筆のインキ溝１０３ａ、空気溝１０３ｂならびにペン先１０２の洗浄が終了した後に、ポンプ４を停止させると、洗浄液７の循環が停止し、万年筆１００のインキ溝１０３ａおよび空気溝１０３ｂを洗浄していた洗浄液７は洗浄槽８に流下し、洗浄槽８の内部に溜まった洗浄液７は排出孔８１から貯留槽６に流下するが、ペン芯１０３のインキ溝１０３ａおよび空気溝１０３ｂには、少量ではあるが洗浄液７が残っている。
図４は、連結部２に万年筆の前方部１００の首軸１０１を挿着したままにして、空気流入口９３から第二配管５に空気が入るように空気流入弁９を「開」にした状態である。
この状態でポンプ４を作動させると、空気が空気流入口９３から取り入れられ、流出口９２、第二配管５、吸入口４２、ポンプ４、吐出口４１、第一配管３、連結部２を経由して、空気がペン芯１０３の内部に吹き込まれ、万年筆のインキ溝１０３ａおよび空気溝１０３ｂに残った洗浄液７を吹き飛ばすように排出させて、確実にかつ短時間で乾燥することができた。
ペン芯１０３から吹き出した空気は、貯留槽６とカバー１０との隙間から外部へ放出された。
なお、本実施の形態では、連結部２、第一配管３、第二配管５、貯留槽６、洗浄槽８、カバー１０のいずれの部材も、透明な樹脂で成形したことから、筆記具の洗浄および乾燥の様子を視認することができた。
【００２４】
次に、万年筆（株式会社パイロットコーポレーション製：ｋａｋｕｎｏ（登録商標）／品番：ＦＫＡ−１ＳＲ）に万年筆用インキカートリッジインキ（株式会社パイロットコーポレーション製／品番：ＩＲＦ−１２Ｓ）を装着し、万年筆のキャップを外したままの状態で５０℃の環境下に放置し、インキカートリッジ中のインキ０．８ｍｌがペン芯１０３の内部に移動して全て乾燥した後に、万年筆から空の状態になったインキカートリッジを外し、当該万年筆に再び同種のインキカートリッジを装着し、万年筆のキャップを外したままの状態で再び５０℃の環境下に放置して前記と同様にインキを全て乾燥させることにより、長期間放置してインキ通路にインキが固化した状態の万年筆を再現した。
この万年筆から軸ならびにインキカートリッジを外して万年筆の前方部１００の状態とし、ペン先１０２を下方に向け、本実施の形態の筆記具洗浄装置１の連結部２の下端部に首軸１０１を挿着し、空気流入弁９を「閉」にした状態で、貯留槽６に２０℃の水７０ｍｌを入れ、ポンプ４（吐出量２２ｍＬ／ｓｅｃ・吐出圧０．３ＭＰａのダイアフラムポンプ）を作動させたところ、約１５分間で万年筆のインキ通路に固化したインキを洗浄し除去することができた。
また、連結部２に当該万年筆の前方部１００の首軸１０１を挿着したままにして、空気流入弁９を「開」にした状態で、ポンプ４を作動させたところ、約５分間で万年筆のインキ通路に残った水を吹き飛ばすように排出させて乾燥することができた。
【００２５】
次に、図面を参照して本発明の第２の実施の形態における筆記具洗浄方法と筆記具洗浄装置を詳細に説明する。
【００２６】
図５は、本発明の第２の実施の形態による筆記具洗浄装置１１に、万年筆を連結した状態を示す概略縦断面図である。
本実施の形態の筆記具洗浄装置１１は、第１の実施の形態の筆記具洗浄装置１の第二配管５の下端部に、連結部２１を挿着したものである。
図５は、万年筆から軸（図示せず）ならびにインキカートリッジ（図示せず）を外して万年筆の前方部１００の状態とし、ペン先１０２を下方に向け、ペン先１０２が貯留槽６に収容された洗浄液７に浸漬されるように前記連結部２の下端部に首軸１０１を挿着し、空気流入口９３から第二配管５に空気が入らないように空気流入弁９を「閉」にした状態である。
この状態でポンプ４を作動させると、第二配管５の内部が負圧になり、洗浄液７が貯留槽６からペン芯１０３のインキ溝１０３ａおよび空気溝１０３ｂを通して吸い上げられることで、ペン芯１０３のインキ溝１０３ａおよび空気溝１０３ｂを洗浄する。
ペン芯１０３のインキ溝１０３ａおよび空気溝１０３ｂを洗浄した洗浄液７は、連結部２１、第二配管５、洗浄液流入口９１、流出口９２、第二配管５、吸入口４２、ポンプ４、吐出口４１、第一配管３、連結部２の順に循環し、洗浄槽８に流下し、排出孔８１から貯留槽６に流下する。
ポンプ４の作動中は前記の洗浄液循環が継続的に行われるため、万年筆のインキ溝１０３ａ、空気溝１０３ｂ、ペン先１０２を確実にかつ短時間で洗浄することができた。
【００２７】
前記の筆記具洗浄装置１１において、２本の万年筆から軸ならびにインキカートリッジを外して万年筆の前方部１００の状態とし、ペン先１０２を下方に向け、連結部２の下端部ならびに連結部２１の下端部のそれぞれに首軸１０１を挿着し、空気流入弁９を「閉」にした状態でポンプを作動させることにより、洗浄液７が貯留槽６から、ペン芯１０３の内部、連結部２１、第二配管５、洗浄液流入口９１、流出口９２、第二配管５、吸入口４２、ポンプ４、吐出口４１、第一配管３、連結部２、ペン芯１０３の内部の順に循環し、洗浄槽８に流下し、排出孔８１から貯留槽６に流下して循環して、２本の万年筆のインキ溝１０３ａ、空気溝１０３ｂ、ならびにペン先１０２を同時にかつ確実にかつ短時間で洗浄することができる。
【００２８】
また、他の実施の形態としては、第一配管３に分岐部を設け、複数に分岐された第一配管３のそれぞれに連結部２を設けることで、分岐数に応じた複数の万年筆を同時に洗浄することが可能となる。
また、第一配管３の分岐部に流路切替弁を設けることで、洗浄が終了した万年筆が連結された連結部３への洗浄液７の循環のみを停止し、他の万年筆が連結された連結部２への洗浄液７の循環ならびに他の万年筆の洗浄を中断することなく、洗浄終了後の万年筆の取り外しや次に洗浄する万年筆の接続を行うことができる。
この場合、ポンプの能力は大きい方がよい。
【産業上の利用可能性】
【００２９】
本発明は、万年筆や製図用ペンなどの、インキカートリッジやコンバータを接続して使用する筆記具において、筆記具の内部ならびに外部を洗浄する場合や乾燥する場合に利用可能であり、簡単な構造であることから装置自体をコンパクトにして、店頭から家庭内まで巾広く利用することができる。
【符号の説明】
【００３０】
１…第１の実施の形態の筆記具洗浄装置、
２…連結部、３…第一配管、４…ポンプ、４１…吐出口、４２…吸入口、
５…第二配管、６…貯留槽、７…洗浄液、８…洗浄槽、８１…排出孔、
９…空気流入弁、９１…洗浄液流入口、９２…流出口、９３…空気流入口、
１０…カバー
１１…第２の実施の形態の筆記具洗浄装置、
２１…連結部、
１００…万年筆の前方部、１０１…首軸、１０２…ペン先、
１０３…ペン芯、１０３ａ…インキ溝、１０３ｂ…空気溝
【図１】
2019034426.tif 000003
【図２】
2019034426.tif 000004
【図３】
2019034426.tif 000005
【図４】
2019034426.tif 000006
【図５】
2019034426.tif 000007